(57)【要約】【課題】遊技球を受け入れるための開口部およびその開口扉の上下方向の距離を小さく形成した場合であっても、開口扉とガラス板との間に遊技球が詰まることを防止して、適正な遊技を行うことができるとともに、部品が損傷するおそれをなくす。【解決手段】遊技盤の前面に配設されて遊技球を受け入れるための開口部と、開口部の上端部側を開放端として開口部の下端部側に回動可能に支持された開口扉２０とを備える。開口扉２０は、開口部を閉鎖する閉鎖位置と該閉鎖位置から前方に傾動して開口部を開放する開放位置との間を移動する。開口扉２０の上端部の遊技盤側を切り欠き、開口扉２０が開放位置に移動した際に、開口扉２０の上端部の最上部位置２１と、遊技盤の前面側に位置するガラス板４０の内側面との距離が、遊技球の半径よりも小さくなるようにする。【選択図】          図１
2004159899.tif 000002
【特許請求の範囲】
【請求項１】
遊技盤の前面に配設されて遊技球を受け入れるための開口部と、該開口部の上端部側を開放端として該開口部の下端部側に回動可能に支持された開口扉とを備え、前記開口扉は、前記開口部を閉鎖する閉鎖位置と該閉鎖位置から前方に傾動して該開口部を開放する開放位置との間を移動するように形成されてなる遊技機において、
前記開口扉の上端部の前記遊技盤側を切り欠き、前記開口扉が開放位置に移動した際に、前記開口扉の上端部の最上部位置と、前記遊技盤の前面側に位置するガラス板の内側面との距離が、遊技球の半径よりも小さくなるようにしたことを特徴とする遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
現在の遊技機、例えばパチンコ機においては、遊技盤の前面略中央部に、画像で表現される複数の特別図柄を遊技状態に応じて変動表示する液晶表示装置が配設されているのが一般的である。また、遊技盤の前面下部には、上記画像表示装置に表示される特別図柄が「大当たり」状態となったときに、所定時間および所定回数だけ間欠的に開放されて、通常時よりも多くの遊技球を受け入れられる大入賞口が設けられている。
【０００３】
このような大入賞口としては、遊技盤の前面下部に配された開口部と、この開口部の上端部側を開放端として開口部の下端部側に回動可能に支持された開口扉とからなり、通常時は開口扉により開口部を閉鎖し、「大当たり」状態となったときに、開口扉が間欠的に前方に傾動して開口部を開放するように構成されたものが一般的に知られている。
【０００４】
また、従来の一般的なパチンコ機では、遊技盤内を流下する遊技球の動きに変化を持たせて遊技の面白さを高めるため、液晶表示装置を囲うように枠部材を設けるとともに、枠部材の下部に、遊技球を一旦受け止めた後、その流下方向に変化を持たせて再び遊技盤上に放出するためのステージが設けられている。
【０００５】
さらに、枠部材と大入賞口との間には、遊技球が入賞したことを条件として、特別図柄の変動を開始させるための始動入賞口が設けられており、始動入賞口には遊技球を受け入れ易い状態と受け入れ難い状態との間で切換可能な電動役物が設けられている。
【０００６】
【発明が解決しようとする課題】
ところで、近年のパチンコ機では、遊技の面白さを一層高めることを目的として、遊技部内を流下する遊技球の動きを今まで以上に変化させることが要望されている。このような要望に応えるために、枠部材の下部に設けられたステージを大型化して遊技球の誘導路を複雑なものとすることが考えられる。
【０００７】
しかしながら、枠部材の下方には始動入賞口や大入賞口が配設されており、ステージを大型化すると、枠部材の下方における遊技部のスペースが減少してしまうため、ステージを大型化した場合には大入賞口を構成する開口部および開口扉を小さく形成せざるを得ない。
【０００８】
さらに、開口扉の上下方向の距離を小さく形成した場合には、開口扉が開放位置に移動した際に、開口扉の上端面の後側縁部と、遊技盤の前面側に位置するガラス板の内側面との距離が大きくなってしまい、開口扉の上端部とガラス板との間に遊技球が詰まってしまうおそれがある。
このような状態となると、開口扉が開放状態となり続け、多くの遊技球が開口部内に入賞してしまう。このため、強制的に開口部を開放状態にするという不正行為と同様の状態となり、遊技店の利益を著しく損なうこととなる。さらに、開口扉およびその開閉機構に損傷を与えるおそれもある。
【０００９】
本発明は、上記事情に鑑みなされたもので、遊技球を受け入れるための開口部およびその開口扉の上下方向の距離を小さく形成した場合であっても、開口扉とガラス板との間に遊技球が詰まることを防止して、適正な遊技を行うことができるとともに、部品が損傷するおそれのない遊技機を提供することを目的とする。
【００１０】
【課題を解決するための手段】
本発明の遊技機は、上記目的を達成するため、遊技盤の前面に配設されて遊技球を受け入れるための開口部と、該開口部の上端部側を開放端として該開口部の下端部側に回動可能に支持された開口扉とを備え、前記開口扉は、前記開口部を閉鎖する閉鎖位置と該閉鎖位置から前方に傾動して該開口部を開放する開放位置との間を移動するように形成されてなる遊技機において、
前記開口扉の上端部の前記遊技盤側を切り欠き、前記開口扉が開放位置に移動した際に、前記開口扉の上端部の最上部位置と、前記遊技盤の前面側に位置するガラス板の内側面との距離が、遊技球の半径よりも小さくなるようにしたことを特徴とするものである。
【００１１】
【発明の実施の形態】
以下、本発明の実施形態について図面を参照しながら説明する。なお、以下の説明では、代表的な弾球遊技機としてのパチンコ機に、本発明を適用した例について説明を行なう。
【００１２】
＜パチンコ機の概略構成＞
図４〜図６は、本発明の一実施形態に係るパチンコ機を示すもので、図４はパチンコ機の正面図、図５はパチンコ機の斜視図、図６は遊技盤の正面図である。
本発明の一実施形態に係るパチンコ機１は、図４、図５に示すように、外枠２の上半部に開閉可能に取り付けられたフロントドア３を備えており、その下方には操作部４が設けられている。
【００１３】
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技球の発射操作を行なうための発射ハンドル７が設けられ、下皿６の左側には灰皿８が設けられている。さらに、上皿５には、当該パチンコ機１における球貸操作等を行なうための操作パネル９が設けられている。
【００１４】
また、フロントドア３の上部前面には遊技盤５０が取り付けられており、遊技盤５０の前方側には遊技部５２の前方を塞ぐためのガラス板（図示せず）が取り付けられている。
【００１５】
さらに、フロントドア３には、遊技部５２の周囲前方に位置するようにして装飾枠１０が設けられており、装飾枠１０の上部には、左右一対のスピーカ装置１１が配設されている。
【００１６】
＜遊技盤＞
フロントドア３の上部前面に取り付けられた遊技盤５０は、図５、図６に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するための特別図柄表示装置として機能する画像表示装置５４と、２個の普通図柄表示ＬＥＤを有する普通図柄表示装置５５と、複数の入賞口と、いずれの入賞口にも入賞しなかった遊技球を遊技部５２内から排出するためのアウト口５６とが設けられている。
【００１７】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００１８】
＜入賞口＞
上記入賞口は、その機能によって複数種類に分かれており、遊技球が入賞したことを条件として所定数の賞球を排出するための一般入賞口５９と、遊技球が通過したことを条件として、普通図柄表示装置５５における普通図柄表示ＬＥＤの変動表示を開始させるための普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させるための始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００１９】
上記大入賞口６３には、大入賞口６３を開閉するための開口扉が設けられている。
【００２０】
＜大入賞口＞
次に、図１〜図３を参照して、本発明のポイントとなる大入賞口および開口扉の構成について詳細に説明する。図１は開口扉の構成を示す縦断面図、図２は大入賞口および開口扉を構成するアタッカアッセンブリの斜視図、図３は本発明に係る遊技機に用いる開口扉と従来の開口扉を比較した縦断面図である。
図２に示すように、大入賞口６３および開口扉２０は、遊技盤５０に取り付けられたアタッカアッセンブリ３０により構成される。このアタッカアッセンブリ３０は、取付基板３１のほぼ中央に大入賞口６３が開設されており、大入賞口６３には開口扉２０が開閉可能に取り付けられている。また、開口扉２０はプランジャ３２の駆動により開閉するようになっている。
【００２１】
＜開口扉＞
上記開口扉２０は、図１に示すように、開口扉２０の上端部の遊技盤側に切欠部２２が設けられている。この切欠部２２は、開口扉２０が開放位置に移動した際に、開口扉２０の上端部の最上部位置２１と、遊技盤の前面側に位置するガラス板４０の内側面との距離が、遊技球の半径よりも小さくなるように形成されている。
【００２２】
ここで、例えば遊技球の半径を５．５ｍｍとした場合に、開口扉２０が開放位置に移動した際における開口扉２０の上端部の最上部位置２１とガラス板４０の内側面との距離を５．５ｍｍ未満に設定すればよいが、この際、開口扉２０の上端部の最上部位置２１とガラス板４０の内側面との距離が極端に小さいと、部品の精度や経年変化等により開口扉２０とガラス板４０とが干渉するおそれがある。また、遊技盤面上を遊技球が流下するというパチンコ機の特性上、遊技盤５０の前面とガラス板４０の内側面との間隔を全く自由に設定することはできず、自ずと制限が生じる。さらに、開口部６３および開口扉２０は、限られた面積を有する遊技部５２内に配設されるため、開口扉２０の大きさにも制限が生じる。
【００２３】
したがって、開口扉２０の上端部の最上部位置２１とガラス板４０の内側面との距離は、設計上の制約の範囲内において、遊技球の半径よりも小さく、かつ開口扉２０とガラス板４０とが干渉しないように設定する必要がある。これに対して、開口扉２０の上端部の最上部位置２１とガラス板４０の内側面との距離が遊技球の半径よりも大きい場合には、パチンコ球Ｐが開口扉２０の上端部の最上部位置２１に引っかかってしまい、球詰まりが発生するおそれがある。
【００２４】
本実施形態においては、図１に示すように、遊技球の半径を５．５ｍｍとし、開口扉２０の開口度を６０°とした場合に、水平線に対する切欠部２２の角度θが約１０°となるように切欠部２２の勾配を設定している。これにより、開口扉２０が開放位置に移動した際に、開口扉２０の上端部の最上部位置２１とガラス板４０の内側面との距離が、切欠部２２を設けない場合と比較して小さくなり、図１に示す例では約４．１７ｍｍとなっている。
【００２５】
なお、開口扉２０が開放位置に移動した際における、水平線に対する切欠部２２の角度θは、約１０°に限られるものではなく自由に設定することができるが、０°≦θ≦３０°の範囲とすることが好ましい。
【００２６】
図３を参照して、切欠部２２を設けた本実施形態の開口扉２０と、切欠部２２を設けない従来の開口扉７０とを比較して説明する。図３から明らかなように、本実施形態の開口扉２０は、従来の開口扉７０と比較して、開口扉２０が開放位置に移動した際における開口扉２０の上端部の最上部位置２１とガラス板４０の内側面との距離が、約０．２５ｍｍだけ小さくなっている。このため、パチンコ機１を設計する際の制約の範囲内において、開口扉２０が開放位置に移動した際における開口扉２０の上端部の最上部位置２１との距離が小さくなるため、パチンコ球Ｐが開口扉２０の上端面２１に引っかかることなく切欠部２２に沿って転がり落ちる。したがって、球詰まりが発生せず、かつ開口扉２０とガラス板４０とが干渉することもない。
【００２７】
＜その他の構成部材＞
以下、図５、図６を参照して、本発明に係るパチンコ機１を構成する他の部材について説明する。
【００２８】
＜普通図柄始動口＞
上記普通図柄始動口６０は、始動入賞口６２の左下方に設けられており、通過する遊技球を検出するようになっている。この普通図柄始動口６０の通過球は、４個まで記憶可能となっており、この入賞記憶に基づいて、普通図柄表示装置５５における図柄の変動表示が行なわれる。また、画像表示装置５４の右側上部には、普通図柄始動口６０の通過記憶個数を表示するための４個の普通図柄記憶ＬＥＤ６４が設けられている。この普通図柄記憶ＬＥＤ６４の点灯個数により、普通図柄始動口６０の通過記憶個数を表示することができる。
【００２９】
＜始動入賞口＞
上記始動入賞口６２の左右には、遊技球を受け入れ易い状態と、遊技球を受け入れ難い状態との間で切換可能ないわゆるチューリップ状の普通電動役物６１が設けられている。この普通電動役物６１は、通常の状態では遊技球を受け入れ難い状態となっており、普通図柄表示装置５５において「当たり」となった場合に、所定時間（例えば、０．３秒間）だけ遊技球を受け入れ易い状態に切り換えられる。
【００３０】
また、始動入賞口６２への入賞球は、４個まで記憶可能となっており、この入賞記憶に基づいて、画像表示装置５４における図柄の変動表示が行なわれる。また、画像表示装置５４の左右側下部には、始動入賞口６２への入賞記憶個数を表示するための４個の特別図柄記憶ＬＥＤ６５が設けられている。この特別図柄記憶ＬＥＤ６５の点灯個数により、始動入賞口６２への入賞記憶個数を表示することができる。
【００３１】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００３２】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００３３】
＜普通図柄表示装置＞
上記普通図柄表示装置５５は、画像表示装置５４の上方に設けられた赤色発光と緑色発光の２個の普通図柄表示ＬＥＤを備えている。この普通図柄表示装置５５では、２個の普通図柄表示ＬＥＤが赤、緑の発光色で交互に点滅するようになっており、２個の普通図柄表示ＬＥＤの点滅が終了して緑色で点灯した場合を「当たり」として、始動入賞口６２に設けられた普通電動役物６１を、所定時間だけ遊技球を受け入れ易い状態に切り換えて、始動入賞口６２に遊技球を入賞させ易くする。
【００３４】
なお、普通図柄表示装置５５は、上述した２個の普通図柄表示ＬＥＤを備えて構成する他に、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００３５】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００３６】
また、普通図柄始動口６０を遊技球が通過したことを条件として、普通図柄表示装置５５における普通図柄の変動表示を開始させる。そして、乱数を用いた抽選により、普通図柄表示装置５５における普通図柄表示ＬＥＤの停止表示態様を決定し、この決定に基づいて普通図柄表示ＬＥＤの変動表示を停止させる。
【００３７】
ここで、普通図柄表示装置５５における普通図柄表示ＬＥＤの停止表示態様が、「当たり」となると、始動入賞口６２に設けられた普通電動役物６１を所定時間（例えば、０．３秒間）だけ遊技球を受け入れ易い状態に切り換える。
【００３８】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００３９】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口（図示せず）が設けられており、大入賞口６３内に入賞した遊技球が継続入賞口にも入賞すると、上述した大入賞口６３の開放が、所定回数（例えば１６回）に達するまで繰り返される。
【００４０】
＜他の実施形態＞
以上、本発明の一実施形態を説明したが、本発明は、このような態様に限定されるものではなく、種々の態様の変更が可能である。例えば、開口扉２０の開口度、切欠部２２の形状、大きさおよび角度等は、適宜変更して実施することが可能である。
【００４１】
さらに、上述した実施形態ではパチンコ機１を例にとって説明したが、本発明は遊技球を取り込むための開口扉２０を有する開口部を備えた遊技機であれば、他の遊技機にも適用することが可能である。
【００４２】
【発明の効果】
以上、詳細に説明したように本発明の遊技機は、開口扉の上端部の遊技盤側を切り欠き、開口扉が開放位置に移動した際に、開口扉の上端部の最上部位置と、遊技盤の前面側に位置するガラス板の内側面との距離が、遊技球の半径よりも小さくなるようにしている。
【００４３】
したがって、開口部およびその開口扉の上下方向の距離を小さく形成した場合であっても、開口扉とガラス板との間に遊技球が挟まるおそれがなく、適正な遊技を行わせることができる。また、球詰まりが発生しないため、部品が損傷するおそれもない。
【図面の簡単な説明】
【図１】本発明の一実施形態に係るパチンコ機に使用する開口扉の縦断面図
【図２】本発明の一実施形態に係るパチンコ機に使用するアタッカアッセンブリの斜視図
【図３】本発明の一実施形態に係るパチンコ機に使用する開口扉と従来の開口扉を比較した縦断面図
【図４】本発明の一実施形態に係るパチンコ機の正面図
【図５】本発明の一実施形態に係るパチンコ機の斜視図
【図６】本発明の一実施形態に係るパチンコ機に使用する遊技盤の正面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ装置
２０  開口扉
２１  最上部位置
２２  切欠部
３０  アタッカアッセンブリ
３１  取付基板
３２  プランジャ
４０  ガラス板
５０  遊技盤
５１  ガイドレール
５２  遊技部
５３  障害部材
５４  画像表示装置
５５  普通図柄表示装置
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
７０  従来の開口扉
【図１】
2004159899.tif 000003
【図２】
2004159899.tif 000004
【図３】
2004159899.tif 000005
【図４】
2004159899.tif 000006
【図５】
2004159899.tif 000007
【図６】
2004159899.tif 000008